【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】
複数枚の断面画像が積み上げられてなる三次元原画像に基づいて所望の断面画像を表示するための画像処理を行う画像処理方法において、
(a) 表示しようとする断面画像の断面位置を入力するステップと、
(b) 表示しようとする断面画像の厚さを入力するステップと、
(c) 前記ステップ(a) で入力された断面位置を基準にして前記ステップ(b) で入力された断面画像の厚さに対応する枚数分の断面画像を前記三次元原画像から抽出するステップと、
(d) 前記ステップ(c) によって複数枚の断面画像が抽出されると、その抽出された各断面画像を加算して１枚の断面画像を作成するステップと、
を含み、前記ステップ(a) 又はステップ(b) によって断面位置又は厚さが変更されると、前記ステップ(c) 及び(d) の処理を行い、断面画像の断面位置又は厚さをリアルタイムに変更可能にしたことを特徴とする画像処理方法。
【請求項２】
複数枚の断面画像が積み上げられてなる三次元原画像に基づいて所望の断面画像を表示するための画像処理を行う画像処理装置において、
表示しようとする断面画像の断面位置を入力する位置入力手段と、
表示しようとする断面画像の厚さを入力する厚さ入力手段と、
前記位置入力手段によって入力された断面位置を基準にして前記厚さ入力手段によって入力された断面画像の厚さに対応する枚数分の断面画像を前記三次元原画像から抽出する断面画像抽出手段と、
前記断面画像抽出手段によって複数枚の断面画像が抽出されると、その抽出された各断面画像を加算して１枚の断面画像を作成する断面画像作成手段と、
を備えたことを特徴とする画像処理装置。
【請求項３】
複数枚の断面画像が積み上げられてなる三次元原画像に基づいて所望の断面画像を表示するための画像処理を行う画像処理装置において、
表示しようとする断面画像の再構成ピッチを入力する再構成ピッチ入力手段と、
前記再構成ピッチ入力手段によって入力された再構成ピッチに基づいて該再構成ピッチ上の任意の断面画像の断面位置を入力する位置入力手段と、
前記位置入力手段によって入力された断面位置に対応する断面画像を前記三次元原画像から抽出する断面画像抽出手段と、
を備えたことを特徴とする画像処理装置。
【手続補正２】
【補正対象書類名】明細書
【補正対象項目名】００１０
【補正方法】変更
【補正の内容】
【００１０】
【課題を解決するための手段】
前記目的を達成するために本願請求項１に係る画像処理方法は、複数枚の断面画像が積み上げられてなる三次元原画像に基づいて所望の断面画像を表示するための画像処理を行う画像処理方法において、(a) 表示しようとする断面画像の断面位置を入力するステップと、(b) 表示しようとする断面画像の厚さを入力するステップと、(c) 前記ステップ(a) で入力された断面位置を基準にして前記ステップ(b) で入力された断面画像の厚さに対応する枚数分の断面画像を前記三次元原画像から抽出するステップと、(d) 前記ステップ(c) によって複数枚の断面画像が抽出されると、その抽出された各断面画像を加算して１枚の断面画像を作成するステップと、を含み、前記ステップ(a) 又はステップ(b) によって断面位置又は厚さが変更されると、前記ステップ(c) 及び(d) の処理を行い、断面画像の断面位置又は厚さをリアルタイムに変更可能にしたことを特徴とする。
【手続補正３】
【補正対象書類名】明細書
【補正対象項目名】００１２
【補正方法】変更
【補正の内容】
【００１２】
本願請求項２に係る画像処理装置は、複数枚の断面画像が積み上げられてなる三次元原画像に基づいて所望の断面画像を表示するための画像処理を行う画像処理装置において、表示しようとする断面画像の断面位置を入力する位置入力手段と、表示しようとする断面画像の厚さを入力する厚さ入力手段と、前記位置入力手段によって入力された断面位置を基準にして前記厚さ入力手段によって入力された断面画像の厚さに対応する枚数分の断面画像を前記三次元原画像から抽出する断面画像抽出手段と、前記断面画像抽出手段によって複数枚の断面画像が抽出されると、その抽出された各断面画像を加算して１枚の断面画像を作成する断面画像作成手段と、を備えたことを特徴としている。
【手続補正４】
【補正対象書類名】明細書
【補正対象項目名】００１３
【補正方法】変更
【補正の内容】
【００１３】
本願請求項２に係る画像処理装置によれば、三次元原画像を基に目的に応じて断面画像の断面位置、厚さを変更し所望の断面画像を構成するようにリアルタイムで画像処理する。
【手続補正５】
【補正対象書類名】明細書
【補正対象項目名】００１４
【補正方法】変更
【補正の内容】
【００１４】
本願請求項２に係る画像処理装置において、前記断面画像抽出手段によって抽出された各断面画像に対してそれぞれ重み付けを行うための重みデータを入力する重み入力手段を有し、前記断面画像作成手段は、前記重み入力手段によって入力された重みデータを各断面画像に乗算した後、各断面画像を加算平均するようにしてもよい。
【手続補正６】
【補正対象書類名】明細書
【補正対象項目名】００１５
【補正方法】変更
【補正の内容】
【００１５】
かかる態様によれば、三次元原画像を基に目的に応じて断面画像の断面位置、厚さだけでなく重み付けをも変更し、所望の断面画像を構成するようにリアルタイムで画像処理する。
【手続補正７】
【補正対象書類名】明細書
【補正対象項目名】００１６
【補正方法】変更
【補正の内容】
【００１６】
本願請求項３に係る画像処理装置は、複数枚の断面画像が積み上げられてなる三次元原画像に基づいて所望の断面画像を表示するための画像処理を行う画像処理装置において、表示しようとする断面画像の再構成ピッチを入力する再構成ピッチ入力手段と、前記再構成ピッチ入力手段によって入力された再構成ピッチに基づいて該再構成ピッチ上の任意の断面画像の断面位置を入力する位置入力手段と、前記位置入力手段によって入力された断面位置に対応する断面画像を前記三次元原画像から抽出する断面画像抽出手段と、を備えたことを特徴としている。
【手続補正８】
【補正対象書類名】明細書
【補正対象項目名】００１７
【補正方法】変更
【補正の内容】
【００１７】
本願請求項３に係る画像処理装置によれば、三次元原画像を基に目的に応じて再構成ピッチを変更し、その変更した再構成ピッチ上の任意の断面位置の断面画像を得ることができる。
【手続補正９】
【補正対象書類名】明細書
【補正対象項目名】００１８
【補正方法】変更
【補正の内容】
【００１８】
本願請求項３に係る画像処理装置において、前記断面画像抽出手段は、前記位置入力手段によって入力された断面位置に前記三次元原画像を構成する複数枚の断面画像のいずれかの断面画像が存在しない場合には、前記入力された断面位置の前後の断面画像を抽出し、前記画像処理装置は、前記抽出した前後の断面画像及び前記入力された断面位置と前後の断面画像との距離関係に基づいて前記入力された断面位置の断面画像を作成する断面画像作成手段をさらに備えるようにしてもよい。即ち、三次元原画像を構成する複数の断面画像のピッチに対して再構成ピッチが整数倍以外の場合には、再構成ピッチ上の断面画像が存在しない場合がある。この場合には、入力された断面位置の前後の断面画像を抽出し、この前後の断面画像を補間処理して前記入力された断面位置の断面画像を作成するようにしている。
【手続補正１０】
【補正対象書類名】明細書
【補正対象項目名】００１９
【補正方法】変更
【補正の内容】
【００１９】
尚、断面画像の厚さ及び再構成ピッチの両方をそれぞれ任意に変更できるようにしてもよい。
【手続補正１１】
【補正対象書類名】明細書
【補正対象項目名】００２０
【補正方法】変更
【補正の内容】
【００２０】
本発明に関連する画像処理方法は、複数枚の断面画像が積み上げられてなる三次元原画像に基づいて所望の断面画像を表示するための画像処理を行う画像処理方法において、(a) 表示しようとする断面画像の再構成ピッチを入力するステップと、(b) 前記ステップ(a) で入力された断面画像の再構成ピッチに基づいて該再構成ピッチ上の任意の断面画像の断面位置を入力するステップと、(c) 前記ステップ(b) で入力された断面位置に対応する断面画像を前記三次元原画像から抽出するステップと、を含み、前記ステップ(a) によって再構成ピッチが変更されると、前記ステップ(b) において前記変更された再構成ピッチ上の任意の断面画像の断面位置の入力を可能にし、表示しようとする断面画像の再構成ピッチをリアルタイムに変更可能にしたことを特徴としている。
【手続補正１２】
【補正対象書類名】明細書
【補正対象項目名】００２１
【補正方法】変更
【補正の内容】
【００２１】
かかる画像処理方法によれば、診断目的に応じて再構成ピッチを変更することができ、かつその変更した再構成ピッチに基づいて三次元原画像から所望の断面画像を抽出することでき、リアルタイムに再構成ピッチを変更することできる。